(57)【要約】【課題】表示の信頼性が高く、かつ安価な機械式の表示装置を備えた押ボタンスイッチを提供する。【解決手段】押ボタン１の前面に表示窓１１を設けるとともに、操作部３の中心部に前記表示窓１１と連なる中空部を形成する一方、先端に表示部を備えた表示棒４１とを設け、この表示棒４１を、前記表示部が前記ボタン部の表示窓１１に臨むように前記操作部３の中空部内に回転可能に収納し、前記操作部３内に前記押ボタン部の押し込み操作および復帰操作に連動して前記表示棒４１を所定角度回転させて表示部の表示状態を切り換える表示切換機構を設ける。【選択図】図１
2008204633.tif 000002
【特許請求の範囲】
【請求項１】
押ボタンと、操作部と、スイッチ部との組立体からなり、待機位置にある押ボタンの押し込み操作により操作部を介してスイッチ部の接点の開閉を切換操作し、同時に押ボタンを押し込み位置に自己保持し、自己保持位置の押ボタンスイッチを所定の角度回動させる復帰操作により待機位置に復帰させるようにした押ボタンスイッチにおいて、前記押ボタンの前面に表示窓を設けるとともに、前記操作部の中心部に前記表示窓と連なる中空部を形成する一方、先端に表示部を備えた表示棒とを設け、この表示棒を、前記表示部が前記ボタンの表示窓に臨むように前記操作部の中空部内に回転可能に収納し、前記操作部内に前記押ボタンの押し込み操作および復帰操作に連動して表示部の表示状態を切り換える表示切換機構を設けたことを特徴とする表示装置を備えた押ボタンスイッチ。
【請求項２】
請求項１に記載の押ボタンスイッチにおいて、前記表示部を、少なくとも２色に塗り分けられた表示面を有する表示面板と、円板の一部に切欠き形成された切欠窓を有する表示円板とを対向配置して構成し、前記表示面板と表示円板のいずれか一方を前記押ボタンの押し込み操作および復帰操作に連動して回転することにより、表示部の表示色を切り換えることを特徴とする表示装置を備えた押ボタンスイッチ。
【発明の詳細な説明】
【技術分野】
【０００１】
この発明は、押ボタンスイッチの操作状態を表示する表示装置を備えた押ボタンスイッチに関する。特に、押ボタンの押し込み操作によりスイッチ機構を開閉し、その押し込み位置を自己保持し、押ボタンの回動操作により自己保持を解いて元の待機位置に復帰させるようにしたプッシュロック・ターンリセット形の押ボタンスイッチの表示装置の改良に関するものである。
【０００２】
このような、プッシュロック・ターンリセット形押ボタンスイッチは、非常停止用押ボタンスイッチとして利用される。
【背景技術】
【０００３】
この種の押ボタンスイッチの表示装置としては、特許文献１に示すような、押ボタンスイッチの押ボタン内に内蔵したＬＥＤランプや白熱ランプ等からなる表示灯を押ボタンスイッチの操作状態に応じて点灯回路により点灯または消灯して、押ボタンスイッチの動作状態を表示するようにした照光式の表示装置がよく知られている。
【特許文献１】特開平０９−２１３１６１号公報
【発明の開示】
【発明が解決しようとする課題】
【０００４】
このような照光式の表示装置を備えた押ボタンスイッチにおいては、表示灯を点灯するための電源を含む点灯回路を必要とするだけでなく、表示灯の球切れの点検等の保守点検が必要となるため、コストが高くなる問題がある。
【０００５】
また、表示灯の寿命や点灯回路の不具合により表示灯が正常に動作されず、押ボタンスイッチの動作状態を誤表示する場合もあり、表示の信頼性に欠ける問題もある。このような表示装置の誤表示は、押ボタンスイッチが、機械設備の非常停止を指令する非常停止用押ボタンスイッチとして使用される場合には、機械設備の非常停止時の点検時に運転状態の誤認を招き人身事故に至る危険がある。
【０００６】
この発明は、このような従来の照光式表示装置を備えた押ボタンスイッチの問題点を解決するために、表示の信頼性が高く、かつ安価な機械式の表示装置を備えた押ボタンスイッチを提供することを課題とするものである。
【課題を解決するための手段】
【０００７】
前記の課題を解決するため、この発明は、押ボタンと、操作部と、スイッチ部との組立体からなり、待機位置にある押ボタンの押し込み操作により操作部を介してスイッチ部の接点の開閉を切換操作し、同時に押ボタンを押し込み位置に自己保持し、自己保持位置の押ボタンスイッチを所定の角度回動させる復帰操作により待機位置に復帰させるようにした押ボタンスイッチにおいて、前記押ボタンの前面に表示窓を設けるとともに、前記操作部の中心部に前記表示窓と連なる中空部を形成する一方、先端に表示部を備えた表示棒とを設け、この表示棒を、前記表示部が前記ボタン部の表示窓に臨むように前記操作部の中空部内に回転可能に収納し、前記操作部内に前記押ボタン部の押し込み操作および復帰操作に連動して前記表示棒を所定角度回転させて表示部の表示状態を切り換える表示切換機構を設けたことを特徴とするものである。
【０００８】
また、前記の発明においては、前記表示部を、少なくとも２色に塗り分けられた表示面を有する表示面板と、円板の一部に切欠き形成された切欠窓を有する表示円板とを対向配置して構成し、前記表示面板と表示円板のいずれか一方を前記押ボタンの操作に連動して回転することにより、表示部の表示色を切り換えるようにすることができる。
【発明の効果】
【０００９】
この発明によれば、機械的な表示棒を押ボタンの押し込み操作および復帰操作に連動して回転駆動することにより、押ボタンスイッチの動作状態を表示するものであるので、従来の照光式表示装置のように表示灯の球切れ等による点灯不良が起こらないので、表示の信頼性を高めることができるとともに、保守点検の手間を省力するこができる効果が得られる。
【発明を実施するための最良の形態】
【００１０】
以下に、この発明の実施の形態を図に示す実施例に基づいて説明する。
【実施例１】
【００１１】
図１ないし図４にこの発明の第１の実施例を示す。
【００１２】
図１は、実施例１による押ボタンスイッチのスイッチ部の一部断面を含む立面図、図２は、同分解斜視図、図３はこの実施例１の押ボタンスイッチに使用するロック板の構成図およびその動作の説明図、図４は、この実施例１の押ボタンスイッチの表示状態の説明図である。
【００１３】
この実施例１の押ボタンスイッチは、図１および図２に示すように、キャップ状の押ボタン１、この押ボタン１を軸方向および回転方向に可動可能に支持する支持体２、この支持体２内に収容され、押ボタン１の動きに連動して作動する操作部３、押ボタン１および操作部３の中空部に収容された表示機構４、および支持体２に連結され、操作部３により内部の接点を開閉操作されるスイッチ部５を備える。
【００１４】
押ボタン１は、前面に、透明の樹脂により形成されたグローブ１２により開閉自在に閉じられた表示窓１１を備える。
【００１５】
支持体２は、図２に示すように、中心に支持棒２４を備えたベース２１と、中心部に円筒２２aが形成され、このベース２１に結合されるフレーム２２と、ベース２１の対向する２辺に固着される１対のロック板２６とを一体に組み合わせて構成される。
【００１６】
操作部３は、フレーム２２の円筒２２a内に回転可能に収容される回転筒３１と、この回転筒３１にトリガばね３４を介して結合された押棒３２と、この回転筒３１とフレーム２２の円筒２２ａとの間に介装され、回転筒３１に回転方向および軸方向の弾性復元力を与える捩りばねからなる押ボタン復帰ばね３３と、押棒３２の下端に、ベース２１に設けられたロック板２６と対向して形成されたロックピン収容穴３７にロックばね３６を介して出没可能に収容されたロックピン３５とを備える。
【００１７】
そして、操作部３の押棒３２にトリガばね３４を介して嵌め合わせられた回転筒３１は、その軸方向の縦溝３１ａを押棒３２の外周に軸方向に設けた凸条３２ａに嵌め込むことにより、押棒３２に対して、軸方向、すなわち上下方向にのみ移動可能となり、回転方向にはこれと一緒に回動する。
【００１８】
また操作部３の押棒３２は、中心に軸方向に貫通する貫通孔３２ｂを備える。操作部３は、この押棒３２の貫通孔３２ｂにベース２１に設けられた支持棒２４が遊嵌されるようにベース２１上に載置される。
【００１９】
表示機構４を構成する表示棒４１は円筒状をなし、その先端に、扇形の適宜の色、例えば赤色に塗色された塗色部４２aが６０°間隔で設けられた表示面板４２を備える。表示面板４２の塗色部４２ａ以外の部分は、素材の地色のままか、塗色部４２ａの色と異なる色、例えば緑色に塗り分けるようにする。
【００２０】
表示棒４１は、表示復帰ばね４４を介して押棒３２の貫通孔３２ｂ内の支持棒２４に嵌め合わせられる。このとき、表示棒４１に設けられた縦溝４１ａを、支持棒２４の軸方向の凸条に嵌め合わせることにより、この表示棒４１は支持棒２４に対して軸方向の直線移動だけが可能となり、回動は不能となる。
【００２１】
表示面板４２と対をなして表示部を形成する表示円板４３が設けられ、回転筒３１の先端に固着される。表示円板４３には、表示面板４２の塗色部４２ａと相似形の扇形の切欠窓４３ａがこれと同じ配置で形成されている。
【００２２】
表示面板４２と表示円板４３とは、後記するように相対的回転可能に構成され、表示円板４３が表示面板４２に対して回転することにより、表示円板４３の切欠窓４３ａ内に表示面板の塗色部４２ａが現れたり、消えたりして表示色が切り換わる。
【００２３】
スイッチ部５は、内部の図示しない接点を開閉操作する操作片５１を備える。このスイッチ部５を支持体２のベース２１に結合すると、操作片５１の先端がベース２１の操作孔２１ａから支持体２内に突出され、操作部３の押棒３２によって操作可能となる。
【００２４】
支持体２の円筒２２ａと操作部３の回転筒３１の間に装着される押ボタン復帰ばね３３は、下端側が円筒２２ａに結合され、上端側を回転筒３１に結合される。そして、押ボタン１は回転筒３１の先端にねじ込むことにより操作部３を介して支持体２に結合される。
【００２５】
このように構成された押ボタンスイッチは、図示しない制御盤等のパネルに設けられた取付穴に支持体２の円筒２２ａを挿通して、取付ナット２５（図１参照、図２には図示を省略）を円筒２２ａの外周に設けられたねじにねじ込んでパネルに締め付け結合する。
【００２６】
次にこのように構成された、押ボタンスイッチの動作を説明する。
【００２７】
図１は、押ボタンスイッチの待機状態を示している。この状態において、操作部３の押棒３２内に納められた表示機構４の表示棒４１は、ベース２１に突設された支持棒２４により軸方向に移動可能に案内支持されているので、介装された圧縮ばねからなる表示復帰ばね４４により上方に付勢され、先端の表示面板４２が操作部３の回転筒３１に固着された表示円板４３の下面に押し付けられる。
【００２８】
また、押棒３２のロックピン３５は、ロックばね３６によりロック板２６に押し付けられているがこのロック板２６の内壁には、詳細を図３（ａ）に示すように、Ｌ字形に形成されたロック片２７が設けられている。ロック片２７の水平辺部２７ｂの先端とロック板２６の右側壁２６ｒとの間に間隙２７ｃが設けられている。
【００２９】
さらに、押ボタン復帰ばね３３は、ロックピン３５がロック板２６の左側壁２６ｌに当たる位置(図３（ｂ）におけるＳ点)にあるときに復帰状態となる。このため、押ボタンスイッチの待機状態において、ロックピン３５が、ロック片２７の水平辺部２７ｂ上の垂直辺部２７ａに当たる位置、すなわち、図３（ｂ）のＮ位置にあるときは、ロック片２７の垂直辺部２７ａの幅Ｗ分だけ押ボタン復帰ばね３３に時計方向の捩り力がバイアスとして与えられていることになる。垂直辺部２７ａの幅Ｗを所定の回転角、例えば６０°となるように設定する。
【００３０】
ここで、押ボタンスイッチの操作のために、押ボタン１を押ボタン復帰ばね３３のばね力に抗して押し込み操作すると、この押ボタン１とともに回転筒３１が押し込まれ、図１において下方へ移動する。これに伴って、トリガばね３４が圧縮され、所定のばね力に達したところで、ロックピン３５がロック片２７を乗り越えてロック片２７の下方へ移動し、その位置でロックされる。
【００３１】
押棒３２のロックピン３５がロック片２７を乗り越えると、ロックピン３５を制止する部分がなくなるため、この押ボタン復帰ばね３３から与えられる回転方向の復元力により回転筒３１およびこれに結合された押棒３２が反時計方向に回転され、ロックピン３５がロック板２６の左側壁２６ｌに当たるＳ位置（図３（ｂ）参照）まで移動し、押ボタン１がこの位置でロックされ、押し込み状態を保持するようになる。
【００３２】
この位置まで押棒３２が押し込まれると、この押棒３２が支持体２のベース２１上に突出されたスイッチ部５の操作片５１に当たり、これを押し下げるので、スイッチ部の接点が開、または閉に操作されて、その状態を保つことになる。
【００３３】
この押し込み動作の過程で、表示棒４１は、回転筒３１の下降によって表示面板４２が表示円板４３によって押し下げられるので、表示復帰ばね４４を圧縮しながら回転筒３１に追随して下降するが、回転はしない。
【００３４】
そして、押ボタンスイッチの待機状態では、表示機構４の表示円板４３は、図４（ａ）に示す待機位置にある。このとき、表示円板４３の切欠窓４３ａがその下方に接する表示面板４２の第１塗色部４２ａと対向する位置から外れた例えば白色に塗色された位置に置かれることにより、押ボタン１の表示窓１１には図４（ａ）に示すように白色が現れ、押ボタンスイッチが待機状態（非操作状態）にあることを表示する。
【００３５】
この状態から、押ボタン１を押し込みロック位置まで押し込むと、前記したとおり、回転筒３１および押棒３２が押し込まれて、押棒３２に設けたロックピン３５がロック板２６のロック片２７を乗り越えてその下方へ移動する。これにより、押棒３２の回転方向の抑制がなくなるため、押ボタン復帰ばね３３が時計方向に所定角度捩られることによりこれに蓄えられていた反時計方向の回転方向の復元力により、押棒３２および回転筒３１が、ロック片２７の垂直辺部２７ａの幅Ｗ分の角度、例えば６０°だけ反時計方向に回転される。この回転により表示円板４３が回転筒３１と一緒に回転するので、この表示円板４３の切欠窓４３ａが、表示棒４１の表示面板４２の例えば赤色に塗色された第１塗色部４２ａに対向する位置に移動するため、押ボタン１の表示窓１１には図４（ｂ）に示すように第１塗色部４２ａの表示色（例えば赤色）を示し、押ボタンスイッチが操作状態にあることを表示する。
【００３６】
押し込み位置にロック（自己保持）された操作状態にある押ボタンスイッチを復帰させるためには、押ボタン１をこの押ボタンの表面に示される矢印方向、すなわち時計方向に所定角度回転させる操作を行う。これにより回転筒３１および押棒３２が、押ボタン１と一緒に回転するので、ロックピン３５がロック位置である図３のＳ位置からロック板２６のロック片２７の下面に沿ってロック板２６の右側壁２６ｒに当たるまで移動される。
【００３７】
この位置で、押ボタン１への操作力を解除すると、ロックピン３５が、ロック片２７の欠ける隙間２７ｃに達しているので、回転筒３１、押棒３２に加わる押ボタン復帰ばね３３による軸方向および回転方向の復元力に対する制限が外れるので、この復元力により、回転筒３１および押棒３２が上方へ押し上げられると共に反時計方向に回転されるため、ロックピン３５が、隙間２７ｃから図３に点線矢印で示すようにロック片２７の上方へ移動し、さらにロック片２７の上をロック片２７の垂直片部２７ａの壁面に当たるまで水平に移動して図３における待機位置Ｎに戻り、押ボタン１が待機状態となる。この過程で、押棒３２がロック片２７の上方へ移動したところで、スイッチ部５の操作片５１の押圧が解除され、図示しない接点を開または閉の元の状態に復帰させる。このとき、回転筒３１および押ボタン１も押棒３２と一緒に押し上げられる。
【００３８】
この待機状態への復帰動作の過程で、表示棒４１が、表示復帰ばね４４の復元力により回転筒３１の上昇に追随して押し上げられるので、表示面板４２は表示円板４３の下面に常に押し付けられたまま、上昇するが回転はしない。これに対して、表示円板４３は、回転筒３１と一緒に回転して復帰位置に戻るので、表示円板４３の切欠窓４３ａが、表示棒４１の表示面板４２の例えば赤色の塗色部４２ａに対向する位置から外れて例えば白色の塗色部に対向する位置へ移動する。これにより、押ボタン１の表示窓１１は、図４（ａ）に示す白色の表示状態に戻り、待機状態（非操作状態）にあることを示す表示となる。
【００３９】
このように実施例１においては、押ボタンスイッチの押ボタン１を押し込み操作して押し込み位置にロックしたところで、スイッチ部５の接点が開閉操作され、その後、押ボタン１を回転操作して待機位置に戻して、スイッチ部５の接点を復帰させる一連の操作に連動して、操作部３の内部の回転筒３１を回転させる機構が表示切換機構となって、表示機構の表示状態を待機状態から操作状態へ、または操作状態から待機状態へ切り換えるので、スイッチの操作と表示装置の表示が完全に同期して切り換わり、表示の信頼性を向上することができる。また、表示装置が機械的要素で構成されるため、照光式表示装置のような球切れの点検等が不要となり保守の手間を省略できる。
【実施例２】
【００４０】
図５ないし図１１にこの発明の第２の実施例を示す。以下この実施例について説明する。
【００４１】
この実施例２の押ボタンスイッチは、図５および図６から明らかなように、押ボタン１、この押ボタン１を支持する支持体２、支持体２内に納められた操作部３および支持体２に結合されるスイッチ部５を備え、外観は前記実施例１と何ら変わるところはない。また、押ボタン１および操作部３の中心の中空部に表示機構４が納められる点でも同じである。
【００４２】
しかし、実施例２は、支持体２に設けられるロック板２６のロック片２８はＬ字形でなく、直線状に形成されている点で（図６および図１０参照）実施例１と異なっている。
【００４３】
また、表示機構４は、実施例１の場合と同様に、表示棒４１、この表示棒４１の先端に設けられた表示面板４２およびこの表示面板４２に重ね合わせて相対的に回転可能に配置された表示円板４３を備えるが、組立て構造は実施例１と異なる。
【００４４】
すなわち、図７に示すように、円筒状の表示棒４１は、これに貫通されたベース２１から突設された支持棒２４により回転可能に支持される。表示棒４１と支持棒２４の間には表示棒４１に回転方向の復元力を与える表示復帰ばね４５が装着される。表示面板４２が表示棒４１の先端に嵌合固着されている。表示面板４２の中心の貫通孔４２ｂから支持棒２４の先端の２つ割れになった取付部２４ａに、表示円板４３がその取付穴４３ｂを嵌め合わせて回転不能に取り付けられる。
【００４５】
このように、この実施例２においては、表示機構における表示円板４３が固定され、表示面板４２が回転可能に構成され、実施例１とは、逆の関係になっている。実施例１と同様に、表示面板４２の表面には、扇形の適宜の色、例えば赤色に塗色された塗色部４２aが６０°間隔で設けられる。表示面板４２の塗色部４２ａ以外の部分は、素材の地色のままか、塗色部４２ａの色と異なる色、例えば緑色に塗色する。
【００４６】
さらに、押棒３２内に挿入される表示棒４１の外周の対向する位置に１対の案内突起４１ｂが設けられている（図６参照）。そして、押棒３２の周壁には、図８に示すようにこの表示棒４１の案内突起４１ｂを案内するための縦方向の案内溝３２ｂおよびこの縦案内溝３２ｂの中間付近に連通する横案内溝３２ｃが互いに対向する位置に１対ずつ形成される。縦案内溝３２ｂは、押棒の周壁の上端で開口し、この開口から表示棒４１の案内突起４１ｂが挿入される。
【００４７】
実施例２のその他の構成は、前記実施例１の構成と同じであるので説明を省略する。
【００４８】
次にこの実施例２の押ボタンスイッチの動作を説明する。
【００４９】
図５は実施例２の押ボタンスイッチの待機状態を示すものである。この状態において、操作部３の押棒３２内に納められた表示機構４の表示棒４１は、ベース２１に突設された支持棒２４により表示復帰ばね４５を介して回転方向および軸方向に移動可能に案内支持されている。表示棒４１の案内突起４１ｂは、図９に示すように、押棒３２に設けられた縦案内溝３２ｂの横案内溝３２ｃより下方の位置まで下がっている。このとき表示復帰ばね４５は、予め表示棒４１に反時計方向の復元力を与えるように捩って装着してあるため、縦案内溝３２ｂに挿入された表示棒４１の案内突起４２ｂは、縦案内溝３２ｂの左側壁に押し付けられている。
【００５０】
この状態では、表示棒４１の表示面板４２は、例えば、赤色に塗色された上面の塗色部４２ａは、表示円板４３の切欠窓４３ａと対向する位置から外れた回転位置に置かれている。このため、押ボタン１の表示窓１１には、図１１（ａ）に示すように、表示面板４２の塗色部４２ａ以外の部分の表示色、たとえば白色の表示が現れ、押ボタンスイッチの待機状態（非操作状態）にあることが表示される。
【００５１】
また、押ボタン復帰ばね３３は、予め押ボタン１および回転筒３１にゼロか僅かな反時計方向の付勢力を与える状態にされているため、復帰状態では、押ボタン１、回転筒３１および押棒３２は、ロックピン３５がロック板２６の上の左側壁２６ｌに当接する位置、すなわち図１０（ｂ）のＮ位置となる回転位置に置かれる。
【００５２】
ここで、押ボタンスイッチの操作のために、押ボタン１を押ボタン復帰ばね３３の軸方向のばね力に抗して押し込み操作すると、この押ボタン１とともに回転筒３１が押し込まれ図５において下方へ移動する。これに伴って、トリガばね３４が圧縮され、所定のばね力に達しところで、図１０（ｂ）のＮ位置にあるロックピン３５がロック片２８を乗り越えてロック片２８の下方のＳ位置へ移動し、その位置でロックされる。このように押棒３２のロックピン３５がロック片２８を乗り越える位置まで押し込まれると、押棒３２の下面によって支持体２のベース２１上に突出されたスイッチ部５の操作片５１が押し下げられ、スイッチ部の接点が開、または閉に操作されその状態が保たれる。
【００５３】
この押し込み動作の過程で、押棒３１が下降すると、表示棒４１は固定されているため相対的にこれが上昇することになる。表示棒４１が押棒３１に対して相対的に上昇すると、図９に示すように、押棒３１の縦溝内３２ｂ内を表示棒４１の案内突起４１ｂが上昇し、ロックピン３５がロック片２８を乗り越えところで、丁度横案内溝３２ｃの位置に達する。案内突起４１ｂが横案内溝３２ｃの位置に達すると、案内突起４１ｂに対する回転方向の抑制がなくなるため、表示復帰ばね４５によって与えられた反時計方向の付勢力によって、表示棒４１が反時計方向に回動され、案内突起４１ｂが横案内溝３２ｃ内を左方向へ移動し、その左側端に当たってＳ位置で停止する。横案内溝３２ｃの横幅Ｗは、表示棒４１の６０°の回転角に相当しているので、表示棒４１が反時計方向に６０°回転する。これにより、表示面板４２の塗色部４２ａが、表示円板４３の切欠窓４３ａと対向する位置へ移動するため、押ボタン１の表示窓１１には、図１１（ｂ）に示すように塗色部４２ａの表示色（例えば赤色）が現れ、押ボタンスイッチが操作状態にあることが表示される。
【００５４】
押し込み位置にロックされた操作状態にある押ボタンスイッチを復帰させるためには、押ボタン１を押ボタン復帰ばね３３の回転方向のばね力に対抗して時計方向へ所定角度回転させる操作を行う。これにより回転筒３１および押棒３２が、押ボタン１と一緒に回転するので、ロックピン３５がロック位置である図１０（ｂ）のＳ位置からロック板２６のロック片２８の下面に沿って点線矢印で示すように移動する。ロックピン３５が、ロック片２８の欠ける隙間２８ｃに達したところで、押ボタン１に加えている操作力を解除すると、押ボタン復帰ばね３３による軸方向の復元力によりロックピン３５が隙間２８ｃから図１０（ｂ）に点線矢印で示すようにロック片２８の上方へ移動し、回転筒３１、押棒３２および押しボタン１が押し上げられる。
【００５５】
押棒３２の上方への移動により、スイッチ部５の操作片５１の押圧が解除され、図示しない接点を開または閉の元の状態に復帰させる。
【００５６】
一方、復帰のために押ボタン１が時計方向への回転操作によって、同時に押棒３２が回転するが、押棒３２の横案内溝３２ｃ内にある表示棒４１の案内突起４１ｂは相対的にこの横案内溝３２内を右方向に移動し、縦案内溝３２ｂに達したところで、表示復帰ばね４５の復元力によりこの縦案内溝３２ｂ内を下方へ移動し、表示棒４１の表示面板４２が押棒３２の上端に当って止まるので、表示棒４１の案内突起４１ｂは、図９のＮ位置へ復帰する。これにより、表示棒４１は、押棒３２の回転に伴う回転力を受けないようになるので、表示棒４１は、回転方向には移動せずその位置に停止しているため、表示状態もそのままとなる。
【００５７】
押ボタン１の回転復帰操作により、押棒３２のロックピン３５が、ロック板２６の隙間２８ｃを通ってロック片２８の上方へ移動したところで、押ボタン１へ外部から加える回転方向の操作力が除かれるので、押ボタン復帰ばね３３の回転方向の復元力により押ボタン１、回転筒３１および押棒３２が反時計方向に回転され、ロックピン３５が図１０（ｂ）の待機位置Ｎに戻り、待機状態となる。
【００５８】
この待機状態への復帰動作の過程で、表示棒４１は、押棒３２の反時計方向の回転によって案内突起４１ｂが押棒３２の縦案内溝３２ｂによって押され（図９参照）、反時計方向に回転され、同時に表示復帰ばね４５も同方向に捩られ、表示棒４１に復元力を付勢する。これによって表示棒４１の表示面４２の例えば赤色の塗色部４２ａが表示円板４３の切欠窓４３ａに対向する位置から外れ、この位置に塗色部４２ａ以外の表示色、例えば白色の位置に移動するため、押ボタン１の表示窓１１には、図１１（ａ）の白色の表示が現れ、待機状態（非操作状態）にあることが表示される。
【００５９】
この実施例２の押しボタンスイッチおいては、実施例１と同様に、押ボタンスイッチの押ボタン１を押し込み操作して押し込み位置にロックしたところで、スイッチ部５の接点が開閉操作され、その後、押ボタン１を回転操作して待機位置に戻して、スイッチ部５の接点を復帰させる一連の操作に連動して、表示機構の表示棒４１を回転させる機構が表示切換機構となって、表示機構の表示状態を待機状態から操作状態へ、または操作状態から待機状態へ切り換えるので、スイッチの操作と表示装置の表示が完全に同期して切り換わり、表示の信頼性を向上することができる。また、表示装置が機械的要素で構成されるため、照光式表示装置のような球切れの点検等が不要となり保守の手間を省略できる。
【図面の簡単な説明】
【００６０】
【図１】この発明の実施例１の押しボタンスイッチの構成を示す一部断面を含む立面図である。
【図２】この発明の実施例１の押しボタンスイッチの構成を示す分解斜視図である。
【図３】この発明の実施例１の押しボタンスイッチに用いるロック板を示すもので、（ａ）はその構成を示す斜視図、（ｂ）その動作説明図である。
【図４】この発明の実施例１の押しボタンスイッチの表示状態を示す図であり、（ａ）は、待機状態を、（ｂ）は操作状態を示すものである。
【図５】この発明の実施例２の押しボタンスイッチの構成を示す一部断面を含む立面図である。
【図６】この発明の実施例２の押しボタンスイッチの構成を示す分解斜視図である。
【図７】この発明の実施例２の押しボタンスイッチにおける表示部の組み立て構造を示す縦断面図である。
【図８】この発明の実施例２の押しボタンスイッチに使用する押棒を示す立面図である。
【図９】この発明の実施例２の押しボタンスイッチ表示部の動作説明図である。
【図１０】この発明の実施例２の押しボタンスイッチに用いるロック板を示すもので、（ａ）はその構成を示す斜視図、（ｂ）はその動作説明図である。
【図１１】この発明の実施例２の押しボタンスイッチの表示状態を示す図であり、（ａ）は、待機状態を、（ｂ）は操作状態を示すものである。
【符号の説明】
【００６１】
１：押ボタン
２：支持体
３：操作部
４：表示機構
５：スイッチ部
【図１】
2008204633.tif 000003
【図２】
2008204633.tif 000004
【図３】
2008204633.tif 000005
【図４】
2008204633.tif 000006
【図５】
2008204633.tif 000007
【図６】
2008204633.tif 000008
【図７】
2008204633.tif 000009
【図８】
2008204633.tif 000010
【図９】
2008204633.tif 000011
【図１０】
2008204633.tif 000012
【図１１】
2008204633.tif 000013